(57)【要約】【課題】  パネル本体に簡単に着脱でき、しかも、フック部材に着脱可能な照明具により照射することで、工事現場等の周囲の路面や周辺、又工事現場内をも確実に照らしだすことが可能である照明用仮囲い用パネル提供することにある。【解決手段】  仮囲い用パネル本体１の巾方向両端部の裏面側に折曲片２を形成し、この折曲片２に締付部材６を介してフック部材７をパネル本体１の長さ方向にスライド可能で、かつ着脱自在に取付けると共に、パネル本体１の適宜位置に透光部３を形成し、この透光部３が位置する近傍の折曲片２にフック部材７を取付け、このフック部材７のフック部７ａに円筒状の照明具５を取付けて、透光部３より照明光を照射するようにした照明用仮囲い用パネルである。【選択図】  図３
0003133526.tif 000002
【実用新案登録請求の範囲】
【請求項１】
仮囲い用パネル本体の巾方向両端部の裏面側に折曲片を形成し、この折曲片に締付部材を介してフック部材をパネル本体の長さ方向にスライド可能で、かつ着脱自在に取付けると共に、前記パネル本体の適宜位置に透光部を形成し、前記透光部が位置する近傍の折曲片に前記フック部材を取付け、このフック部材のフック部に円筒状の照明具を取付けて、前記透光部より照明光を照射するようにしたことを特徴とする照明用仮囲い用パネル。
【請求項２】
前記透光部はパネル本体の下方部位にパンチング孔で形成した請求項１に記載の照明用仮囲い用パネル。
【請求項３】
前記フック部材は、半円弧状のフック部とその基端部側に設けた押圧部と、この押圧部のフック部側に保持筒を一体に設けた請求項１に記載の照明用仮囲い用パネル。
【請求項４】
前記締付部材は、断面コ字形状で、挟持部とその対向面にめねじ部を形成し、このめねじ部にボルトを螺入したものから成り、前記ボルトの螺入により前記折曲片を引き込む挟持部と前記押圧部で挟持させた請求項１乃至３の何れか１項に記載の照明用仮囲い用パネル。
【請求項５】
前記締付部材のボルトの先端を前記フック部材の保持筒に挿入して挟持部と押圧部との間の折曲片を締付固定した請求項１乃至４の何れか１項に記載の照明用仮囲い用パネル。
【請求項６】
前記照明具の円筒部位を前記フック部に着脱可能に取付けた請求項１に記載の照明用仮囲い用パネル。
【考案の詳細な説明】
【技術分野】
【０００１】
本考案は、工事現場や建設現場等の安全などを確保するために用いられる仮囲い用パネルに関し、照明具を備えることができる照明用仮囲い用パネルに関する。
【背景技術】
【０００２】
工事現場や建設現場等の周囲は、安全性の確保、騒音防止や関係者以外の者の侵入を防止する等の工事現場等と周囲とを隔絶するために仮囲い用パネルが用いられる。
この仮囲い用パネルは、上記目的のため通常は丈の高いものになって工事現場等を囲っているので、光が遮られ夜間等には周囲を薄暗くし、更に工事現場等内には照明がないことが多く周囲をさらに暗いものにしてしまうことが多く、工事現場等の周囲の安全性に関して問題があった。そこで、このような工事現場等周囲の照明に関する照明用仮囲い用パネルに関しては、以下の文献が挙げられる。
特許文献１の仮囲いパネルは、仮囲いパネルの正面適宜位置に一定の大きさに仮囲いパネルを切り抜き、当該切抜部の背面に発光体を配設して、工事現場等の周囲を照射するパネルである。
特許文献２は、仮囲いパネルに一定の模様等をパンチング孔であけ、照明灯でパネルを照らすことにより工事現場周囲を照射するガードフェンスである。
【特許文献１】特開２００５−３３６９６２号公報
【特許文献２】特開２００５−２４８６２１号公報
【考案の開示】
【考案が解決しようとする課題】
【０００３】
しかし、特許文献１における切抜部は、工事業者等の名称や標章等の輪郭に沿って切抜かれている結果、切抜き形状によっては光量が不足し、又切抜いた位置によっては歩行等する者の足元を全く照らすことができず照明としての機能を果たしえない。また、再使用について、当該工事業者等の名称等が切抜かれた場合には、当該事業者しか使用できないという問題点もあった。
【０００４】
更には、上記仮囲いパネルの切抜部の背面に配設された発光体は、カシメ部材等によりパネル両端の曲げ部に止着されているので、発光体を簡単に着脱・移動させることができず、例えば仮囲い用パネルの性質上、常に屋外の風雨に曝されるので照明具のメンテナンスが必要になった場合や、工事等の状況よって照明部が不要になった場合等には、一度取外し必要ならば再度取付けなくてはならず迅速性や簡便性の点で問題があった。
【０００５】
特許文献２は模様等が大きいことを想定した場合には、模様等を浮び上がらせる為に、パネル全体を照射する必要がある。そのため一定の光量を有する照明灯を工事現場等内に設けなくてはならず費用が余計にかかり、また工事現場等内に照明灯を設けるので余分なスペースを必要とする。
【０００６】
更に、当該照明灯の眩しさを緩和するために光拡散スクリーンを、仮囲いパネルと照明灯の間に設けなくてはならず、非常に手間がかかるものとなっている。
【０００７】
そこで、本考案は本件出願人が工事現場等周囲や工事現場等内の安全性と防犯等を目的に、上記特許文献等の問題点を前提として仮囲い用板本来の機能に支障を与えることなく、照明機能を有効に発揮させ、しかも、照明具の着脱を著しく簡便にし、安価でしかも再利用可能な照明用仮囲い用パネルを提供することにある。
【課題を解決するための手段】
【０００８】
上記目的を達成するために、請求項１に係る考案は、仮囲い用パネル本体の巾方向両端部の裏面側に折曲片を形成し、この折曲片に締付部材を介してフック部材をパネル本体の長さ方向にスライド可能で、かつ着脱自在に取付けると共に、前記パネル本体の適宜位置に透光部を形成し、前記透光部が位置する近傍の折曲片に前記フック部材を取付け、このフック部材のフック部に円筒状の照明具を取付けて、前記透光部より照明光を照射するようにした照明用仮囲い用パネルである。
【０００９】
請求項２に係る考案は、透光部はパネル本体の下方部位にパンチング孔で形成した照明用仮囲い用パネルである。
【００１０】
請求項３に係る考案は、フック部材は、半円弧状のフック部とその基端部に設けた押圧部と、この押圧部のフック部側に保持筒を一体に設けた照明用仮囲い用パネルである。
【００１１】
請求項４に係る考案は、締付部材は、断面コ字形状で、挟持部とその対向面にめねじ部を形成し、このめねじ部にボルトを螺入したものから成り、このボルトの螺入により折曲片を引き込む挟持部と押圧部で挟持させた照明用仮囲い用パネルである。
【００１２】
請求項５に係る考案は、締付部材のボルトの先端をフック部材の保持筒に挿入して挟持部と押圧部との間の折曲片を締付固定した照明用仮囲い用パネルである。
【００１３】
請求項６に係る考案は、照明具の円筒部位をフック部に着脱可能に取付けた照明用仮囲い用パネルである。
【考案の効果】
【００１４】
請求項１に係る考案によると、照明具を仮囲い板の裏面に突出することなく、適宜位置に簡便に取付けることができ、取外すと通常の仮囲い板として利用でき、しかも、所望の位置に設けた透光部より、パネルの外側へ照明ができ工事現場等の周囲の路面や周辺、又工事現場内をも確実に照らしだすことが可能であり、歩行者等の安全や工事現場等内の防犯を確保することができる。また、フック部材を緩めた状態で簡単にスライドさせることができるので照明具の位置決めや調整がスムーズである。
【００１５】
請求項２に係る考案によると、パネル本体の適宜位置にパンチング孔をあけて、透光部とすることができ、例えば、仮囲い用パネル本体の下方部位に設けた透光部をパンチング孔にすることにより、照明具より照射される光が、直接工事現場等の周囲の歩行者等の足元を照らすことができ安全を確保することができる、又透光部を複数設けることや各種の面積の形状・模様等に加工することが迅速簡便にできるので、工事現場等の状況に応じた透光部にすることができる照明用仮囲い用パネルである。
【００１６】
請求項３乃至５に係る考案によると、締付部材に折曲片とフック部材を挟持してボルトを締付けるだけでフック部材に一体に形成した保持筒を押圧し、締付部材を引張することができるので、ボルトを締付けるだけで簡単にフック部材をパネル本体に着脱することが可能となり、一方、両面からの圧力により強力にパネルに取付ける事ができるので、フック部材を確実に取付けることができると共に、その取外しも簡便である。
【００１７】
更に、フック部材は半円弧形状を成しているので、照明具を確実に保持することができ、一方、簡単に取り出すことが可能であり、又フック部材はパネル掛設用パイプより工事現場等内に突出することがないので、工事作業に邪魔にならず照明用仮囲い用パネルとして利用することができる。
【００１８】
請求項６に係る考案によると、耐水性の照明具を略円筒形、又は円筒部位を設けることによりフック部材に着脱可能に設置することにより、簡単に着脱することができる。
【考案を実施するための最良の形態】
【００１９】
本考案における照明用仮囲い用パネルの好ましい実施形態を図面に従って説明する。
図１において、１は長尺状の面を有するパネル本体である。２はパネル本体の長さ方向両端部に略Ｌ字形状に一体に折曲して形成した折曲片であり、３はパネル本体１の面に形成した透光部である。Ｐはパネル掛設用のパイプである。
パネル本体１を、パネル掛設用のパイプＰに掛設し、パネル本体の折曲片２を重ね合わせて連設し、あらかじめパネル本体の希望する照明位置である下方位置に透光部３を設けておいて、図示しない照明具５の照射により工事現場等周囲の下方を照明している。なお、図１に鎖線で示すように透光部３は下方に限らず、例えばパネル本体の中央部に設けることも可能であり、適宜必要な位置に設けることができる。また、パネル本体１枚に複数の透光部を設けることも可能である。
【００２０】
図３は、図２に示したＡ−Ａ拡大断面図であり、４はパンチング孔で、このパンチング孔４を多数形成して透光部３を構成する、５は耐水性で屋外使用可能な照明具であり、図５に示すように略円筒形状をしている。６は締付部材であり、７はフック部材であり、８はボルトである。締付部材６は、略コ字形状をなし、挟持部６ａと、めねじ部６ｂを有し、更に、めねじ部６ｃにはボルト８を螺入させるめねじ６ｂを有する。
フック部材７は、フック部７ａ、保持筒７ｂ、押圧部７ｃとから構成されている。フック部７ａは略半円弧形状をなしており、照明具５を保持することができ、かつ、容易に照明具を取外せる構造になっている。保持筒７ｂは、押圧部７ｃの反対側の面の端部に設けてある。押圧部７ｃは、折曲片２と面接触するため、折曲片２と平行な面を有するように設けてある。
【００２１】
まず、パネル本体１の照明位置に多数のパンチング孔４から成る透光部３をあらかじめ設けておき、次いで、締付部材６の略コ字形状の挟持部６ａとめねじ部６ｂの間に、パネル本体両端部にある折曲片２とフック部材７の押圧部７ｃを面接触状態に挟持して、ボルト８を締付部材６のめねじ部６ｃに設けためねじ部６ｂに螺入して摺動可能な範囲まで締付ける。次に、あらかじめ設けておいた透光部近傍までフック部材７を摺動し適当な位置でボルト８を締付けてフック部材を折曲片２に固定する。そして、フック部材７のフック部７ａに照明具５の円筒部５ａを嵌合して装着し、コンセント５ｂより入電され照明される。
【００２２】
本考案の実施例は、上記実施例に限定されるものではなく、図示しないが、上記実施例においては、任意の透光部３はパネル本体１の下方に略四角形の形状をなしているが、例えば円形や三角形、一定の模様でもよく、縦型に設けられていてもよい、又パネル１枚に１部分だけでなく、複数部分でもよく、更に連設されたパネルに亘って設けられてもよい。
更に、上記実施例においては、パネル本体１は路面に対して略水平に連設されているが、工事現場等によっては斜面にパネルがたてられる場合がある。そのような場合にも、本考案の締付部材６はボルト８を緩めるだけで折曲片２上を自在に摺動できるので簡単に微調整できる。
【００２３】
ここで、本体パネル１の折曲片２は略Ｌ字状にパネル本体１の裏面１ｂ側に折曲し、パネルを連設した場合には、折曲片２が嵌りあって係止するようになっている。なお、折曲片の形状はこれに限定されることはなく、折曲片の端部がやや折曲していてもよい。
【００２４】
上記締付部材６は、使用に際し、挟持部６ａを折曲片２のパネル本体裏面１ｂ側に当接し、めねじ部を有する挟持面６ｂをフック部材７に一体に形成された保持筒７ｂ側に配し、ボルト８をめねじ部６ｃに螺入することにより、ボルト８が保持筒７ｂに挿入され押圧部７ｃを押圧して折曲片２を挟持部６ａとで挟持してフック部材７を取付ける。
すなわち、めねじ部６ｃにボルト８を螺入すると、締付部材６の挟持部６ａで折曲片２を引き込み、フック部材７の押圧部７ｃとで折曲片２を締付固定する。
【００２５】
図４において、本例の締付部材の構造は、折曲片２の適宜位置にフック部材を合わせ締付部材６の挟持部６ａとめねじ部６ｂで挟み込みボルト８で締付ける構造であるが、めねじ部６ｃ側にはめねじ６ｂが設けられている。ここで保持筒７ｃはフック部材と一体に設けられ溶接等で押圧部７ｃの前面に固着されており、ボルト８の径よりやや大きい。この保持筒７ｂは有底或は無底どちらでもよく、ボルト８の締付効果により押圧部７ｃを押圧することができればよい。
【００２６】
まず、ボルト８をめねじ部６ｃに螺入していくと保持筒７ｂに挿入される。その際に締付部材６の挟持部６ａもボルト８を螺入するにつれてフック部材７方向に引っ張られることになる。一方、保持筒７ｂはボルト８により折曲片２方向に押圧され、その結果、折曲片２とフック部材７の押圧部７ｃは前後から挟圧されることになり強力にフック部材７を保持することができる。
【００２７】
更に、上記締付部材６、フック部材７はパネル本体１を掛設するパイプＰと同位置にあり、照明具５はフック部材７ａに嵌合する構造であるので、全体がパイプＰより工事現場側に突出することはなく、作業者の邪魔になることはない。又上記説明にあるように、締付部材６、フック部材７はボルト８のみにより締付けられているので、簡単に取りはずことが可能である。
【００２８】
図５に示した照明具５は、本考案の照明図の一実施例である。５ａは照明具の円筒部、５ｂは電気コード、５ｃは照明である。
照明具５は、フック部材７のフック部７ａに嵌合させるために円筒部５ａを両端に有し、中央部に照明を有しており、工事現場等の主に屋外での使用が要求されることが多く耐水性、防塵製、耐久性を具備している。又、照明具５の中央の照明部は照明光を照射可能な透明な円筒状をなしている。本実施例では、照明具５の円筒部５ａをフック部７ａに嵌合させて、照明からの照射をパネル本体１の透光部３を透して工事現場等の周囲を照らしている。
【００２９】
なお、本考案の照明具は上記照明具に限られない。図示しないが、他の実施例として、上記照明具５は全体を略円筒形としているが、フック部７ａに係止され、かつ、取外しが可能であれば特に円筒形に限られず、また、本考案においては工事現場等の外周のみならず、工事現場内の防犯等ために、照明部の照射範囲を制限していないが、工事現場等の外周のみの照明が必要な場合には照明具に反射シート等を設けても一方向のみを照射することも可能である。
更に、透光部が仮囲い用パネル複数枚連設する場合などには、長尺状の照明具を設けることも可能である。
【００３０】
本考案における他例を図６に示す。図６においてフック部材７’は、断面略Ｃ字のフック部を有し、押圧部７ｃを折曲片２と平行にしている。フック部７ａ’の直径は上記のフック部材７ａより大きいものとなり、直径の大きい照明具５を容易に保持できるようにしていると共に、照明具５が工事現場側にはみ出す量を少ないものとしている。
フック部７ａ’の先端部７ｄは、フック部７ａ’の半円部位置より折曲片２と略平行に突出しており、保持部７ａ’の保持部の高さを高くして照明具５の着脱を容易にし、かつ、みだりに脱落しないようしている。
【００３１】
更に図示しないが、パネル本体両端に形成した半円弧部を重ねて連設する仮囲い板にも、上記の例と同様に、透光部を形成し、パネルに一対のフック部材を取付け、このフック部材に、照明具を取付けるようにすることもできる。この場合パネルの裏側にフック部材を取付け、この一対のフック部材に照明具を装着するようにすれば、上記の例と同様の仮囲い用板を得ることができる。
【図面の簡単な説明】
【００３２】
【図１】本考案の照明用仮囲い用パネルを連設した状態を示す説明斜視図である。
【図２】本考案の照明用仮囲い用パネルの一部を切り欠いた正面図である。
【図３】図２のＡ−Ａ拡大断面図である。
【図４】図３のＢ−Ｂ拡大断面図である。
【図５】照明具を示した斜視図である。
【図６】本考案の照明用仮囲い用パネルのフック部材の他例を示す部分拡大図である。
【図７】フック部材を折曲片に取り付けた状態の部分拡大断面図である。
【符号の説明】
【００３３】
１    パネル本体
２    折曲片
３    透光部
４    パンチング孔
５    照明具
５ａ  円筒部
６    締付部材
６ａ  挟持部
６ｂ  めねじ
６ｃ  めねじ部
７、７’  フック部材
７ａ、７ａ’  フック部
７ｂ  保持筒
７ｃ  押圧部
８    ボルト
Ｐ    パイプ
【図１】
0003133526.tif 000003
【図２】
0003133526.tif 000004
【図３】
0003133526.tif 000005
【図４】
0003133526.tif 000006
【図５】
0003133526.tif 000007
【図６】
0003133526.tif 000008
【図７】
0003133526.tif 000009